(57)【特許請求の範囲】
【請求項１】
賞球受皿に放出された賞球を賞球誘導樋によりパチンコ遊技機の背面へ誘導し、この賞球を計数するようにした賞球計数装置の不正防止装置であって、
前記賞球誘導樋の内部に形成される賞球流路の任意の位置に賞球検知センサーを設けるとともに、
前記賞球流路における前記賞球検知センサーの上流側に、前記賞球検知センサーの下流側から上流側への賞球の逆行を阻止する逆止機構を配設したことを特徴とする賞球計数装置の不正防止装置。
【請求項２】
賞球受皿に放出された賞球を賞球誘導樋によりパチンコ遊技機の背面へ誘導し、この賞球を計数するようにした賞球計数装置の不正防止装置であって、
前記賞球誘導樋の内部に形成される賞球流路の任意の位置に賞球検知センサーを設けるとともに、
前記賞球流路における前記賞球検知センサーの下流側に、前記賞球検知センサーの下流側から上流側への賞球の逆行を阻止する逆止機構を配設したことを特徴とする賞球計数装置の不正防止装置。
【発明の詳細な説明】
【技術分野】
【０００１】
本発明は、パチンコ遊技機において、賞球の回収にあたり賞球を計数するための賞球検知センサーに対する不正行為を防止できるようにし、セキュリティ性を向上するようにした賞球計数装置の不正防止装置に関するものである。
【背景技術】
【０００２】
一般にパチンコ遊技機において遊技者が獲得した賞球は賞球容器に貯留され、これを賞球計数装置あるいは景品交換所へ運び、所望の景品と交換するようにしている。ところが、賞球の獲得量が大きい場合は、これに比例して重量が嵩み運搬作業に大きな労力を必要とするものであった。また、賞球が賞球容器に貯留されていると、この賞球はパチンコ遊技機の稼動対象とはならなくなることから、遊技場の賞球の総量が増加するという問題があった。
【０００３】
そこで、遊技者が獲得した賞球をパチンコ遊技機の背面に誘導して排出するとともに、同時に賞球の数を計数してその計数値を記録したカードを発券機から遊技者に提供し、遊技者がそのカードを景品交換所へ提出するようにしたシステムが提案されている。このようなシステムによれば、遊技者は重い賞球容器を運ぶ手間が省けるとともに、遊技場の賞球の総量を少なくできるという利点が得られる。
【０００４】
したがって、かかるシステムの場合は、賞球をパチンコ遊技機の背面に誘導する構成、およびパチンコ遊技機の背面で賞球を計数する機能が必要となる。これらの機能要素はパチンコ遊技機とは別途に配設されるものであり、通常、賞球受皿に開口して接続された樋状の誘導手段により賞球をパチンコ遊技機の背面へ導くようにしている（例えば、特許文献１）。
【特許文献１】実用新案登録第２５９６０００号公報
【発明の開示】
【発明が解決しようとする課題】
【０００５】
上記特許文献１に開示された構成では、賞球受皿に賞球を計数装置へ導く案内腕が接続されており、この案内腕の排出ノズルから落下する賞球を検知して計数するようにしている。賞球を検知する検知センサーは、金属である賞球を電気的に検知するものが採用されており、このような構成の場合、検知センサーを外部から意図的に作動し、計数値を歩進させる不正操作が可能となる。
【０００６】
即ち、図８に示すように従来の賞球回収装置の賞球受皿１００には、賞球Ｂが流入する開口部１００ａに賞球誘導樋１０１が接続され、この賞球誘導樋１０１の先端のノズル部１０１ａから流出した賞球Ｂが賞球検知センサー１０２により検知され、賞球計数装置により計数される。このように構成される賞球誘導樋１０１は賞球Ｂが円滑に流れ、玉詰まりにより賞球Ｂの流れが停止してしまうなどの不具合が発生しないようにしなければならない。
【０００７】
このため、賞球誘導樋１０１は賞球検知センサー１０２に至るまでの間が極力緩いスロープであることが望ましいことになる。したがって、このように構成される賞球回収装置では、賞球受皿１００の開口部１００ａからノズル部１０１ａまでに障害となるものが介在しないため、同図に示すように、先端に賞球Ｂに擬した擬似賞球ＦＢを備える金属棒状体Ｗが容易に差し込まれてしまうことになる。
【０００８】
このように金属棒状体Ｗを差し込んだ不正行為者は、この金属棒状体Ｗの先端の擬似賞球ＦＢを賞球検知センサー１０２の部分で往復動させ、賞球Ｂが通過する仮想の状態を現出し、賞球計数装置を作動して計数を歩進させることになる。かかる不正行為は、賞球受皿１００から賞球検知センサー１０２まで円滑な流路としなければならないことによるもので、このような不正行為を効果的に防止できる手段が望まれているのが実情である。
【課題を解決するための手段】
【０００９】
そこで本発明は以下に述べる手段により上記課題を解決するようにした。即ち、請求項１記載の発明では、賞球受皿に放出された賞球を賞球誘導樋によりパチンコ遊技機の背面へ誘導し、この賞球を計数するようにした賞球計数装置の不正防止装置であって、
前記賞球誘導樋の内部に形成される賞球流路の任意の位置に賞球検知センサーを設けるとともに、
前記賞球流路における前記賞球検知センサーの上流側に、前記賞球検知センサーの下流側から上流側への賞球の逆行を阻止する逆止機構を配設したことを特徴とする。
【００１０】
請求項２記載の発明は、賞球受皿に放出された賞球を賞球誘導樋によりパチンコ遊技機の背面へ誘導し、この賞球を計数するようにした賞球計数装置の不正防止装置であって、
前記賞球誘導樋の内部に形成される賞球流路の任意の位置に賞球検知センサーを設けるとともに、
前記賞球流路における前記賞球検知センサーの下流側に、前記賞球検知センサーの下流側から上流側への賞球の逆行を阻止する逆止機構を配設したことを特徴とする。
【発明の効果】
【００１１】
本発明によれば、賞球受皿から賞球に擬した鋼球を備える金属棒状体を差し込むような不正行為がなされても、賞球検知センサーの部分でこの擬似賞球を逆止するようにしたので、通常の状態で賞球が通過した場合に賞球検知センサーから得られる正しい信号が発生せず、これにより賞球計数装置を誤動作させないようにすることができるので、不正行為が完遂されないようにすることができる。
【発明を実施するための最良の形態】
【００１２】
以下、本発明の実施の態様を図にもとづいて詳細に説明する。図１乃至図７は本発明の実施例を説明するための図であり、図１は本発明を実施したパチンコ遊技機の斜視図であり、図２は本発明の不正防止装置の実施状態を示す斜視図である。また、図３は本発明の不正防止装置の要部の構成を示し、図４および図５は機能の態様を説明する。図６は検知信号の態様を説明するもので、図７に本発明の不正防止装置の別実施例を示す。
【００１３】
図１は、本発明を実施した賞球誘導樋Ａを備えるパチンコ遊技機Ｐを示すもので、パチンコ遊技機Ｐの側辺には玉貸機Ｃが配設される。賞球誘導樋Ａは、その上流側が賞球受皿１０に連設され、下流側が玉貸機Ｃ内に臨むように構成されている。また、前記賞球受皿１０には図２に示すように、中央に向かう下り勾配の傾斜面１１が形成されており、底部には賞球誘導樋Ａに向かう下り勾配の案内溝１２が形成されている。したがって、パチンコ遊技機Ｐの賞球貯留部Ｐ１に貯留した賞球Ｂは、排出レバーＬＢを操作することにより賞球受皿１０に放出され、案内溝１２に導かれて賞球誘導樋Ａへ流下する。
【００１４】
賞球誘導樋Ａは、流下する賞球Ｂをパチンコ遊技機Ｐの背面に向けて誘導できるように形成されており、側壁２０の間に仕切壁２１が形成され、底面が下り勾配の２条の賞球流路２２が形成されている。なお、この賞球誘導樋Ａの流下開口部２３は玉貸機Ｃの開口部と一致するように構成し、ネジ止めなどの適宜手段により固定され着脱が可能となるようにしている。したがって、賞球誘導樋Ａに誘導された賞球Ｂは流下開口部２３からパチンコ遊技機Ｐの背面に流出し、賞球Ｂの回収が行われることになる。
【００１５】
前記賞球誘導樋Ａの賞球流路２２の適宜位置には、図３に示すように賞球Ｂの通過を検知する賞球検知センサー２４が配置されており、通孔２４ａを賞球Ｂが通過する毎に賞球計数装置５０へ信号を送出するようにしている。この賞球検知センサー２４は、コイルセンサー、フォトセンサー、磁気センサーなど適宜のものを採用することができる。
【００１６】
図３において、符号３０は逆止機構であり、回動軸３１の端部が側壁２０と仕切壁２１で軸支され、垂下する逆止片３２と起立する係止片３３を一体に備える。逆止機構３０はこのように構成され、逆止片３２の質量を係止片３３より大きくしてあることから、逆止片３２は賞球流路２２内に垂下した状態となり、定常状態がストッパー４０に係止片３３が当接して保たれる。なお、同図に示すように逆止片３２に凹欠部３２ａを形成しておくことにより、逆止片３２の揺動量を小さくすることができることから、賞球検知センサー２４に対し逆止機構３０を極力接近させることができ、また、賞球Ｂを賞球流路２２の中心へ導く作用が得られる。
【００１７】
図４は、このように構成された逆止機構３０および賞球検知センサー２４を賞球Ｂが通過する態様を示したもので、図４（Ａ）に示すように賞球流路２２を流下してきた賞球Ｂは、逆止機構３０の逆止片３２に接触し、その頭頂部で図４（Ｂ）に示すように押し上げて前進する。そして、図４（Ｃ）に示すように賞球Ｂが賞球検知センサー２４に進入する段階に至ると、賞球Ｂと逆止片３２との係接が解除し、逆止機構３０は定常状態に復帰する。このようにして、賞球Ｂが図４（Ｄ）に示すように賞球検知センサー２４を通過すると、該賞球検知センサー２４から賞球計数装置５０に検知信号が出力されて計数が行われる。
【００１８】
図５は、本発明の上記構成において、擬似賞球ＦＢを備える金属棒状体Ｗが挿入され不正行為が行われた場合の態様を示すもので、図５（Ａ）に示すように逆止機構３０を通過した擬似賞球ＦＢが図５（Ｂ）に示すように引き戻されると、擬似賞球ＦＢは逆止機構３０の逆止片３２に当接して逆行が阻止される。かかる状態に至ると、賞球検知センサー２４から出力される検知信号の波形が大きく崩れることになる。
【００１９】
即ち、賞球Ｂが通常の状態で賞球検知センサー２４を通過すると、該賞球検知センサー２４から出力される検知信号Ｓは図６（Ａ）に示すように、賞球Ｂの通過に伴って増減する波形となる。しかしながら、擬似賞球ＦＢが図５（Ｂ）に示すように引き戻されると、擬似賞球ＦＢは逆止片３２に当接して逆行が阻止されて停止するため、賞球検知センサー２４から出力される信号Ｓは、図６（Ｂ）に示すように図６（Ａ）のような尖鋭な波形とはならない。
【００２０】
これは、通常の状態で賞球Ｂが賞球検知センサー２４を通過した場合は、その通過速度に比例した信号が出力されるが、不正行為による場合は、出力が継続されるような不自然な信号波形となる。したがって、賞球計数装置５０に波形整形回路、比較回路などを備えておくことにより、不自然な信号波形が到来した場合は、これを不正行為と判断して計数の続行を停止したり、警報を発することが可能となる。
【００２１】
図７は本発明の別実施例を示すもので、逆止機構３０を賞球検知センサー２４の下流側に設けた状態を示す。同構成において不正行為が行われた場合は、図７（Ａ）に示すように賞球流路２２を進入してきた擬似賞球ＦＢは、図７（Ｂ）に示すように賞球検知センサー２４を通過する。そして、擬似賞球ＦＢが更に進入すると、その頭頂部で図７（Ｃ）に示すように擬似賞球ＦＢが逆止機構３０の逆止片３２に接触して押し上げて前進する。
【００２２】
このようにして、図７（Ｄ）に示すように逆止機構３０の下流側に進入した擬似賞球ＦＢは、同図に示すように上流側に引き戻すように作用されても、擬似賞球ＦＢは逆止片３２に当接して逆行が阻止されて停止するため、賞球検知センサー２４を完全に作動させないようにすることができる。
【００２３】
以上、詳細に説明したように本発明によるパチンコ遊技機の賞球計数装置の不正防止装置によれば、賞球誘導樋の内部に形成される賞球の流路の任意の位置に賞球検知センサーを設け、この賞球検知センサーの上流側または下流側に逆止機構を配設したことから、賞球計数装置を誤動作させないようすることができるので、不正行為が完遂されないようにすることができる。
【図面の簡単な説明】
【００２４】
【図１】本発明を実施したパチンコ遊技機を示す斜視図である。
【図２】本発明の不正防止装置の実施状態を示す斜視図である。
【図３】本発明の不正防止装置の要部の構成を示す斜視図である。
【図４】本発明の不正防止装置の機能の態様を説明する図である。
【図５】本発明の不正防止装置の機能の態様を説明する図である。
【図６】賞球検知センサーから出力される検知信号の態様を説明する図である。
【図７】本発明の不正防止装置の別実施例の態様を示す図である。
【図８】従来の構成を示す斜視図である。
【符号の説明】
【００２５】
Ａ・・・・・・賞球誘導樋
Ｂ・・・・・・賞球
Ｃ・・・・・・玉貸機
Ｐ・・・・・・パチンコ遊技機
１０・・・・・賞球受皿
１１・・・・・傾斜面
１２・・・・・案内溝
２０・・・・・側壁
２１・・・・・仕切壁
２２・・・・・賞球流路
２３・・・・・流下開口部
２４・・・・・賞球検知センサー
３０・・・・・逆止機構
３１・・・・・回動軸
３２・・・・・逆止片
３２ａ・・・・凹欠部
３３・・・・・係止片
４０・・・・・ストッパー
５０・・・・・賞球計数装置
【図１】
0005248125.tif 000002
【図２】
0005248125.tif 000003
【図３】
0005248125.tif 000004
【図４】
0005248125.tif 000005
【図５】
0005248125.tif 000006
【図６】
0005248125.tif 000007
【図７】
0005248125.tif 000008
【図８】
0005248125.tif 000009